(57)【要約】【課題】  互いに異なる波長領域間の読み取り対象領域の位置ズレを補正する画像読み取り装置及び画像読み取り方法を提供する。【解決手段】  本発明に係る画像読み取り装置は、互いに異なる波長領域の入射光量に対応する信号を出力するリニアイメージセンサと、原稿を位置決めする位置決め手段と、マークと、第一の波長領域の光を放射する第一の光源及び第二の波長領域の光を放射する第二の光源を有する照明手段と、ミラー及びレンズを有し、前記照明手段に照明された前記原稿及び前記マークの光学像を前記リニアイメージセンサに結像させる光路を形成する光学系と、前記第二の光源が前記原稿及び前記マークを照射するとき前記光路上に透明板を挿入して焦点を調節する焦点調節手段と、前記透明板によって生じる読み取り対象領域の位置ズレを、波長領域毎に検出された前記マークの位置に基づいて補正する位置ズレ補正手段と、を備える。【選択図】  図１
2005130123.tif 000002
【特許請求の範囲】
【請求項１】
互いに異なる波長領域の入射光量に対応する信号を出力するリニアイメージセンサと、
原稿を位置決めする位置決め手段と、
マークと、
第一の波長領域の光を放射する第一の光源及び第二の波長領域の光を放射する第二の光源を有する照明手段と、
ミラー及びレンズを有し、前記照明手段に照明された前記原稿及び前記マークの光学像を前記リニアイメージセンサに結像させる光路を形成する光学系と、
前記第二の光源が前記原稿及び前記マークを照射するとき前記光路上に透明板を挿入して焦点を調節する焦点調節手段と、
前記透明板によって生じる読み取り対象領域の位置ズレを、波長領域毎に検出された前記マークの位置に基づいて補正する位置ズレ補正手段と、
を備えることを特徴とする画像読み取り装置。
【請求項２】
前記マークは通孔を有し、
前記照明手段は、前記原稿及び前記マークを前記リニアイメージセンサと反対側から照明することを特徴とする請求項１に記載の画像読み取り装置。
【請求項３】
前記第一の光源は可視光の波長領域の光を放射し、
前記第二の光源は赤外光の波長領域の光を放射し、
可視光の波長領域の入射光量に対応する前記リニアイメージセンサの出力に基づいて生成される前記原稿の透過光像を表す画像を、赤外光の波長領域の入射光量に対応する前記リニアイメージセンサの出力に基づいて生成される前記原稿の透過光像を表す画像に基づいて補修する補修手段をさらに備えることを特徴とする請求項２に記載の画像読み取り装置。
【請求項４】
互いに異なる波長領域の入射光量に対応する信号を出力するリニアイメージセンサと、
原稿を位置決めする位置決め手段と、
マークと、
第一の波長領域の光を放射する第一の光源及び第二の波長領域の光を放射する第二の光源を有する照明手段と、
ミラー及びレンズを有し、前記照明手段に照明された前記原稿及び前記マークの光学像を前記リニアイメージセンサに結像させる光路を形成する光学系とを備える画像読み取り装置を用いた画像読み取り方法であって、
前記第二の光源が前記原稿及び前記マークを照射するとき前記光路上に透明板を挿入して焦点を調節する焦点調節段階と、
前記透明板によって生じる読み取り対象領域の位置ズレを、波長領域毎に検出された前記マークの位置に基づいて補正する位置ズレ補正段階と、
を含むことを特徴とする画像読み取り方法。
【発明の詳細な説明】
【技術分野】
【０００１】
本発明は、画像読み取り装置及び画像読み取り方法に関する。
【背景技術】
【０００２】
従来、ネガフィルムやポジフィルムなどの透過原稿を読み取る画像読み取り装置が知られている。こうした画像読み取り装置では、透過原稿や原稿台に埃などのゴミが存在したり、あるいは透過原稿に損傷（傷）があったりすると、そのゴミや傷までもが読み取られてしまうため、ゴミや傷によってディジタル画像の画質が劣化してしまう。こうした画質の劣化を低減するため、赤外光を放射する照明手段を更に備え、赤外光で透過原稿を読み取って生成したディジタル画像に基づいてゴミや傷の位置を特定し、それにより可視光で読み取って生成したディジタル画像を補修するものが知られている。
【発明の開示】
【発明が解決しようとする課題】
【０００３】
しかしながら、赤外光は可視光に比べて波長が長いため、可視光のときに焦点が合うよう光学系が調整されている場合、そのままでは赤外線で読み取るとき焦点位置がずれるという問題がある。
こうした問題を解決する方法としては大きく以下の二つの方法が主流である。
一つ目は、レンズの性能を上げて焦点位置のズレを減少させる方法である。しかしながら、この方法ではレンズのコストやレンズ自身の体格が大きくなり、ひいては画像読み取り装置の体格が増大するという問題がある。
【０００４】
二つ目は、赤外光で読み取るときにガラス板などの透明板を光路上に挿入することによって焦点位置のズレを解消する方法である。しかしながら、この方法では透明板を挿入するため、透明板の影響によって可視光と赤外光とで副走査方向の読み取り対象領域がずれるという問題がある。
図１２は、可視光と赤外光との読み取り対象領域の副走査方向のズレを説明するための模式図である。図１２はイメージセンサ５１、透明板５２、レンズ５３及びミラー５４を有する画像読み取り装置が原稿Ｍを読み取る様子を模式的に表している。当該画像読み取り装置では、可視光で読み取るときは上段に示すように透明板５２が光路Ｒから外され、赤外光で読み取るときは下段に示すように光路Ｒ上に挿入される。透明板５２の盤面を光路Ｒに完全に垂直にすることは事実上不可能であり、僅かな傾きが生じる。傾きが生じると赤外光が図示するように屈折し、リニアイメージセンサ５１には副走査方向の位置がずれた光学像が結像されることになる。具体的には、リニアイメージセンサ５１側から見た場合、可視光の場合は原稿Ｍの点Ａに示す位置が見えることになり、一方、赤外光の場合は点Ｂに示す位置が見えることになる。従って、可視光で読み取るときと赤外光で読み取るときとでは読み取り対象領域が副走査方向にずれることになる。
【０００５】
図１３は、可視光で読み取るときの読み取り対象領域と赤外光で読み取るときの読み取り対象領域とを示す模式図である。透明板５２に傾きが生じると図示するように可視光で読み取るときの読み取り対象領域６１と赤外光で読み取るときの読み取り対象領域６２とがずれることになり、生成された画像を重ね合わせても傷６３の位置が一致しなくなる。このため赤外光で生成した画像に基づいて傷の位置を特定しても可視光で読み取って生成した画像上に表れる傷を補修できなくなる。
【０００６】
本発明は、かかる問題に鑑みて創作されたものであって、互いに異なる波長領域間の読み取り対象領域の位置ズレを補正する画像読み取り装置及び画像読み取り方法を提供することを目的とする。
【課題を解決するための手段】
【０００７】
上記目的を達成するため、本発明に係る画像読み取り装置は、互いに異なる波長領域の入射光量に対応する信号を出力するリニアイメージセンサと、原稿を位置決めする位置決め手段と、マークと、第一の波長領域の光を放射する第一の光源及び第二の波長領域の光を放射する第二の光源を有する照明手段と、ミラー及びレンズを有し、前記照明手段に照明された前記原稿及び前記マークの光学像を前記リニアイメージセンサに結像させる光路を形成する光学系と、前記第二の光源が前記原稿及び前記マークを照射するとき前記光路上に透明板を挿入して焦点を調節する焦点調節手段と、前記透明板によって生じる読み取り対象領域の位置ズレを、波長領域毎に検出された前記マークの位置に基づいて補正する位置ズレ補正手段と、を備えることを特徴とする。この画像読み取り装置によると、波長領域毎にマークの位置を検出して位置ズレ幅を求めることにより、互いに異なる波長領域間の読み取り対象領域の位置ズレを補正できる。
【０００８】
さらに本発明に係る画像読み取り装置では、前記マークは通孔を有し、前記照明手段は、前記原稿及び前記マークを前記リニアイメージセンサと反対側から照明することを特徴とする。この画像読み取り装置によると、通孔を備えることにより、透過原稿について読み取り対象領域の位置ズレを補正できる。
さらに本発明に係る画像読み取り装置では、前記第一の光源は可視光の波長領域の光を放射し、前記第二の光源は赤外光の波長領域の光を放射し、可視光の波長領域の入射光量に対応する前記リニアイメージセンサの出力に基づいて生成される前記原稿の透過光像を表す画像を、赤外光の波長領域の入射光量に対応する前記リニアイメージセンサの出力に基づいて生成される前記原稿の透過光像を表す画像に基づいて補修する補修手段をさらに備えることを特徴とする。この画像読み取り装置によると、補修手段によって補修することにより、ゴミや傷による画質の劣化を低減できる。
【０００９】
上記目的を達成するため、本発明に係る画像読み取り方法は、互いに異なる波長領域の入射光量に対応する信号を出力するリニアイメージセンサと、原稿を位置決めする位置決め手段と、マークと、第一の波長領域の光を放射する第一の光源及び第二の波長領域の光を放射する第二の光源を有する照明手段と、ミラー及びレンズを有し、前記照明手段に照明された前記原稿及び前記マークの光学像を前記リニアイメージセンサに結像させる光路を形成する光学系とを備える画像読み取り装置を用いた画像読み取り方法であって、前記第二の光源が前記原稿及び前記マークを照射するとき前記光路上に透明板を挿入して焦点を調節する焦点調節段階と、前記透明板によって生じる読み取り対象領域の位置ズレを、波長領域毎に検出された前記マークの位置に基づいて補正する位置ズレ補正段階と、を含むことを特徴とする。この画像読み取り方法によると、波長領域毎にマークの位置を検出して位置ズレ幅を求めることにより、互いに異なる波長領域間の読み取り対象領域の位置ズレを補正できる。
【００１０】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても、方法の発明としても特定することができる。
【発明を実施するための最良の形態】
【００１１】
以下、本発明を実施するための最良の形態を実施例に基づいて説明する。
図２（Ａ）及び図２（Ｂ）は、本発明の一実施例に係る画像読み取り装置としてのイメージスキャナ１を示す模式図である。図２（Ａ）は可視光で原稿及びマークを読み取る状態を示しており、図２（Ｂ）は赤外光で原稿及びマークを読み取る状態を示している。
【００１２】
原稿カバー１１は可視光源１７、赤外光源１８、キャリッジ２０及びガラス板２４などを備え、ヒンジにより原稿台１２の盤面を開放する姿勢から原稿台１２の盤面を覆う姿勢に揺動可能に筐体１３に連結されている。原稿カバー１１は原稿台１２の盤面に載置された原稿Ｍを押さえるとともに、可視光源１７、反射原稿用可視光源１９及び赤外光源１８の放射光以外の光が原稿Ｍやマークを照らすことがないよう原稿台１２を覆うものである。
【００１３】
筐体１３は概ね箱形に形成され、上壁部に矩形の開口部とマークとしての通孔１４とが形成されている。通孔１４はキャリッジ１５が待機位置にあるときリニアイメージセンサ１６に結像される位置あるいはその位置の近傍に設けられている。
位置決め手段としての原稿台１２はガラス板等で形成され、筐体１３の開口部を閉塞している。原稿台１２の上面と筐体１３の上面とには段差があり、原稿はその段差に当接することによって位置決めされる。透過原稿の場合は図示しない透過原稿ホルダに支持されて原稿台１２上に位置決めして載置される。
【００１４】
リニアイメージセンサ１６は、複数の受光素子が図２において紙面垂直方向に直線状に並ぶ姿勢でキャリッジ１５に搭載されている。リニアイメージセンサ１６は可視光の波長領域の光及び赤外光の波長領域の光を光電変換して得られる電荷を一定時間蓄積し、入射光量に応じた電気信号をＣＣＤ（Charge Coupled Device）、ＭＯＳトランジスタスイッチ等を用いて出力する。リニアイメージセンサ１６は受光素子列を３列有し、受光素子列には列ごとにＲ（赤）、Ｇ（緑）、Ｂ（青）のいずれか他の受光素子列とは重複しない色の原色フィルタがオンチップで形成されている。本実施例では一つの受光素子列が一つの出力チャンネルに相当し、リニアイメージセンサ１６は出力チャンネル毎に電気信号を出力する。赤外光は透過率が高いためいずれのカラーフィルタをも通過する。従って、各出力チャンネルはいずれも当該出力チャンネルに対応する色の光に加えて赤外光の波長領域の光も光電変換可能である。尚、Ｃ（Cyan）、Ｍ（Magenta）、Ｙ（Yellow）及びＧ（Green）の４色又はＣＭＹ３色の補色フィルタでカラーフィルタを構成してもよいし、１ラインに複数色のフィルタを配列してもよい。
【００１５】
光学系２８（図３参照）は、図２に示すように第一の光源としての可視光源１７、第二の光源としての赤外光源１８、ミラー２１、レンズ２２、透明板２３、及び透明板２３を駆動する図示しない駆動部などで構成されている。また、本実施例の光学系２８は反射原稿を読み取るための反射原稿用可視光源１９も備えている。反射原稿用可視光源１９、ミラー２１及びレンズ２２はキャリッジ１５に搭載されており、可視光源１７及び赤外光源１８はキャリッジ２０に収容されている。可視光源１７及び反射原稿用可視光源１９は蛍光管ランプ等の所謂白色光源で構成されている。白色光は連続スペクトルから成る光であり、その光には赤（Ｒ）色に見える波長領域の光、緑（Ｇ）色に見える波長領域の光、及び青（Ｂ）色に見える波長領域の光も含まれている。尚、可視光源１７及び反射原稿用可視光源１９はそれぞれ、赤（Ｒ）色の光を放射する赤色光源、緑（Ｇ）色の光を放射する緑色光源、及び青（Ｂ）色の光を放射する青色光源の３つの光源で構成してもよい。赤外光源１８は赤外光を放射する照明装置で構成されている。ミラー２１及びレンズ２２は可視光源１７、反射原稿用可視光源１９、又は赤外光源１８のいずれかに照射された原稿及びマークの光学像をリニアイメージセンサ１６に結像させる光路を形成する。透明板２３はガラス板などの透明な板状の部材で形成されている。駆動部は制御部４０（図３参照）によって制御され、可視光源１７及び反射原稿用可視光源１９を点灯させるときは透明板２３を揺動して光路上から外し、赤外光源１８を点灯させるときは光路上に挿入する。光学系２８についての詳細は後述する。
【００１６】
図３は、イメージスキャナ１を示すブロック図である。
主走査駆動部２５は、リニアイメージセンサ１６を駆動するために必要な駆動パルスをリニアイメージセンサ１６に出力する駆動回路である。主走査駆動部２５は、例えば同期信号発生器、駆動用タイミングジェネレータ等から構成される。
第一副走査駆動部２６は、リニアイメージセンサ１６の長手方向軸に垂直に架設されキャリッジ１５を摺動可能に保持する摺動軸、ステッピングモータ、駆動ベルト、駆動回路などを備えている。ステッピングモータがキャリッジ１５を駆動ベルトで牽引することでリニアイメージセンサ１６と原稿Ｍとが図２に示すα方向（副走査方向）に相対移動するため、二次元画像の走査が可能となる。
【００１７】
第二副走査駆動部２７は、リニアイメージセンサ１６の長手方向軸に垂直に架設されキャリッジ２０を摺動可能に保持する摺動軸、ステッピングモータ、駆動ベルト、駆動回路などを備えている。第二副走査駆動部２７のステッピングモータが第一副走査駆動部２６のステッピングモータに同期して回転することでキャリッジ２０がキャリッジ１５に同期して副走査方向に相対移動する。
【００１８】
ＡＦＥ（アナログフロントエンド）部２９は、アナログ信号処理部、Ａ／Ｄ変換器等から構成される。アナログ信号処理部はリニアイメージセンサ１６から出力チャンネル毎に出力される電気信号に対して増幅、雑音低減処理等のアナログ信号処理を施して出力する。Ａ／Ｄ変換器はアナログ信号処理部から出力された電気信号を所定ビット長のディジタル表現の出力信号に量子化して出力する。
【００１９】
ディジタル画像処理部３０は、ＡＦＥ部２９から出力された出力信号に対し、ガンマ補正、画素補間法による欠陥画素の補間、シェーディング補正、画像信号の鮮鋭化等の処理を行ってディジタル画像を生成する。尚、ディジタル画像処理部３０で施す上記各種の処理は、制御部４０で実行するコンピュータプログラムによる処理に置き換えてもよい。
【００２０】
制御部４０は、ＣＰＵ４１、ＲＯＭ４２及びＲＡＭ４３を備えている。ＣＰＵ４１はＲＯＭ４２に記憶されたコンピュータプログラムを実行してイメージスキャナ１の各部を制御する。また、ＣＰＵ４１はＲＯＭ４２に記憶されているプログラムを実行することにより焦点調節手段及び位置ズレ補正手段としても機能する。ＲＯＭ４２は各種のプログラムやデータを記憶しているメモリであり、ＲＡＭ４３は各種のプログラムやデータを一時的に記憶するメモリである。これら各種のプログラムやデータは所定のサーバからネットワークを介してダウンロードして入力してもよいし、リムーバブルメモリ等のコンピュータ読み取り可能な記憶媒体から読み出して入力してもよい。
【００２１】
次に、マークについて説明する。
図１（Ａ）は、原稿カバー１１を取り外した状態のイメージスキャナ１の斜視図であり、図１（Ｂ）はマーク１４の周辺を拡大して示す斜視図である。図４は、図１（Ｂ）に示すＩＩ−ＩＩ線の断面図である。図１（Ｂ）に示すようにマーク１４は円形に開口する通孔として形成されている。通孔１４の上側は図４に示すように筐体１３内に塵埃が入り込むことを防止するための透明なカバー板３１で覆われている。尚、カバー板３１は不要であれば備えなくてもよい。また、本実施例では通孔１４を２つ備えるが、通孔１４は一つだけでもよい。
【００２２】
次に、光学系２８の詳細について説明する。
図５（Ａ）及び図５（Ｂ）は、光学系２８を拡大して示す模式図である。図示するように可視光源１７はランプ１７ａ及びランプ１７ｂの２つのランプを備えている。本実施例では可視光をリニアイメージセンサ１６に入射させる場合は光路Ｔ上に透明板２３を挿入しなくても焦点の合った光学像が結像されるものとする。従って可視光で原稿を読み取るときは駆動部が透明板２３を駆動して図５（Ａ）に示すように光路Ｔ上から外す。この結果、ピントの合った光学像がリニアイメージセンサ１６に結像される。一方、赤外光を入射させる場合は光路Ｔ上に透明板２３を挿入しなければ焦点の合った光学像が結像されないため、赤外光で原稿及び通孔１４を読み取るときは図５（Ｂ）に示すように光路Ｔ上に透明板２３を挿入する。図５（Ｂ）では透明板２３の表面と裏面とはどちらも光路Ｔに対して垂直に見えるが、完全な垂直にすることはコストなどの面で困難であるため完全な垂直にはなっていない。従って可視光の波長領域の光と赤外光の波長領域の光とでは読み取り対象領域に位置ズレが生じることになる。
【００２３】
次に、透明板２３によって生じる読み取り対象領域の位置ズレを補正する処理について説明する。位置ズレの補正は、Ｇの波長領域で読み取るときの読み取り対象領域と赤外光の波長領域で読み取るときの読み取り対象領域との位置ズレ幅を求め、求めた位置ズレ幅に応じていずれか一方の読み取り開始位置を調整することによって行う。厳密にはＲＧＢは互いに波長領域が異なるためＲＧＢの波長領域間でも読み取り対象領域の位置ズレは生じるが、本実施例ではＲＧＢ間の位置ズレはレンズ２２で補正されるものとし、ここではＲＧＢ間の位置ズレは無視できるものとして説明する。このため、可視光の波長領域で読み取るときの読み取り対象領域はＧの波長領域で読み取るときの読み取り対象領域で代表するものとする。Ｇの波長領域で読み取るときの読み取り対象領域と赤外光の波長領域で読み取るときの読み取り対象領域との位置ズレ幅は、通孔１４及びその周辺をＧ及び赤外光の波長領域の光でそれぞれ読み取ってディジタル画像を生成し、画像処理によって波長領域毎に通孔１４の副走査方向の中心位置を求めることによって行う。
【００２４】
図６は、位置ズレ幅を求める処理の流れを示すフローチャートある。図７（Ａ）はＧの波長領域の光で通孔１４とその周辺を読み取って生成したディジタル画像を示す模式図であり、図７（Ｂ）は赤外光の波長領域の光で通孔１４とその周辺を読み取って生成したディジタル画像を示す模式図である。以下、位置ズレ幅を求める処理について、図７（Ａ）及び図７（Ｂ）を参照しつつ説明する。
【００２５】
Ｓ１０５では、赤外光源１８を消灯し、可視光源１７を点灯する。
Ｓ１１０では、透明板２３を光路Ｔから外す。
Ｓ１１５では、通孔１４とその周辺を読み取り、Ｇの波長領域に対応する出力チャンネルから出力された信号に基づいて通孔１４とその周辺とを表すディジタル画像を生成する。この結果、図７（Ａ）に示すディジタル画像が生成される。
【００２６】
Ｓ１２０では、ディジタル画像上の通孔１４を表している領域の副走査方向の中心位置を画像処理により判定する。副走査方向の位置は主走査方向に平行に並ぶ画素列の列番号で表すものとする。
図８は、ディジタル画像の画素値を副走査方向に一列毎に示すグラフである。尚、図８では通孔１４を通る列のグラフのみを示しており、通孔１４を通らない列についてのグラフは省略している。通孔１４を通過した光が入射する画素の画素値は大きくなり、それ以外の画素には光が入射しないため画素値が小さくなる。通孔１４は円形に形成されているためグラフに示すように画素値が大きい画素の数は副走査方向の始端側の列Ｌ１から後端側の列にいくにつれて徐々に多くなり、ある列で最大になった後、徐々に少なくなる。図示する例では４番目の列Ｌ４で最大になっているため、中心位置は４番目の列Ｌ４であることが特定できる。このように通孔１４を円形にすると通孔１４を表す画素の数が徐々に変化するため、グラフの変化から通孔１４の中心位置を検出することができる。
【００２７】
Ｓ１２５では、可視光源１７を消灯し、赤外光源１８を点灯する。
Ｓ１３０では、透明板２３を光路Ｔに挿入する。
Ｓ１３５では、通孔１４とその周辺を読み取り、Ｇの波長領域に対応する出力チャンネルから出力された信号に基づいて通孔１４とその周辺とを表すディジタル画像を生成する。いずれの出力チャンネルでも赤外光の波長領域の入射光量に対応する信号を出力可能であるため、ここでは可視光と同じくＧの波長領域に対応する出力チャンネルから出力された信号を用いるものとする。この結果、図７（Ｂ）に示すディジタル画像が生成される。
【００２８】
Ｓ１４０では、Ｓ１２０と同様にしてディジタル画像上の通孔１４を表している領域の副走査方向の中心位置を画像処理により判定する。
Ｓ１４５では、位置ズレ幅を求める。具体的にはＳ１２０で求めた中心位置とＳ１４０で求めた中心位置との差ΔＹ（＝ｇ−ｉ）を求める。ここでｇ及びｉは列番号を表す数値である。
【００２９】
以上により位置ズレ幅が求まる。次に、位置ズレ幅に基づいて位置ズレを補正する処理について説明する。
図９は、位置ズレ幅に基づいて位置ズレを補正する処理の流れを示すフローチャートある。尚、以降の説明でステッピングモータというときは第一副走査駆動部２６のステッピングモータ及び第二副走査駆動部２７のステッピングモータの両方のことをいうものとする。
【００３０】
Ｓ２０５では、ステッピングモータを所定ステップ回転させてキャリッジ１５及びキャリッジ２０を所定の読み取り開始位置に移動する。
Ｓ２１０では、赤外光源１８を消灯し、可視光源１７を点灯する。
Ｓ２１５では、透明板２３を光路Ｔから外す。
Ｓ２２０では、読み取り開始位置からキャリッジ１５及びキャリッジ２０を搬送しつつ一ラインずつ読み取り、可視光の波長領域に対応する複数の出力チャンネルから出力された信号に基づいてディジタル画像を生成する。
【００３１】
Ｓ２２５では、所定の読み取り開始位置から位置ズレ幅の分だけずらした位置にキャリッジ１５及びキャリッジ２０を移動する。位置ズレ幅の分だけずらした位置とは具体的には画素数にしてΔＹ個に相当する距離だけ所定の読み取り開始位置からずらした位置のことをいい、制御部４０は読み取り開始位置が所定の読み取り開始位置から当該距離だけずれるようステッピングモータのステップ数を制御する。
【００３２】
Ｓ２３０では、可視光源１７を消灯し、赤外光源１８を点灯する。
Ｓ２３５では、透明板２３を光路Ｔに挿入する。
Ｓ２４０では、移動させた位置からキャリッジ１５及びキャリッジ２０を搬送しつつ一ラインずつ読み取り、Ｇの波長領域に対応する出力チャンネルから出力された信号に基づいてディジタル画像を生成する。
【００３３】
以上により、可視光で読み取るときと赤外光で読み取るときとで原稿台１２上の同じ領域が読み取られる。
図１０は、可視光で読み取るときの読み取り対象領域と赤外光で読み取るときの読み取り対象領域とを示す模式図である。赤外光で読み取るときの読み取り開始位置を所定の読み取り開始位置から位置ズレ幅の分だけずらすようにすると、図示するように可視光で読み取るときの読み取り対象領域と赤外光で読み取るときの読み取り対象領域とが一致し、可視光の波長領域で読み取って生成したディジタル画像と赤外光の波長領域で読み取って生成したディジタル画像とを重ね合わせても両者間でゴミや傷の位置にズレが生じなくなる。
【００３４】
次に、可視光の波長領域の入射光量に対応するリニアイメージセンサ１６の出力に基づいて生成されるディジタル画像を、赤外光の波長領域の入射光量に対応するリニアイメージセンサ１６の出力に基づいて生成されるディジタル画像に基づいて補修する処理について説明する。
図１１は、補修する処理の流れを示すフローチャートある。
【００３５】
Ｓ３０５では、赤外光の波長領域の入射光量に対応するリニアイメージセンサ１６の出力に基づいて生成されるディジタル画像に基づいてゴミや傷の位置を特定する。具体的には、当該ディジタル画像の各画素の画素値を判定し、画素値が所定の閾値より小さい画素をゴミや傷を表している画素と判定し、当該画素の画素番号をゴミや傷の位置として特定する。
【００３６】
Ｓ３１０では、可視光の波長領域の入射光量に対応するリニアイメージセンサ１６の出力に基づいて生成されるディジタル画像の画素であってＳ３０５で特定された画素に対応する画素を、その周囲の画素の画素値を用いて補間する。これによりゴミや傷の影響が取り除かれた高画質のディジタル画像が得られる。
以上説明した本発明の一実施例に係るイメージスキャナ１によると、波長領域毎に通孔１４の位置を検出して位置ズレ幅を求めることにより、可視光の波長領域と赤外光の波長領域との間の読み取り対象領域の位置ズレを補正できる。
【００３７】
尚、本実施例ではＲＧＢ間については読み取り対象領域の位置ズレはレンズ２２で補正されるものとしたが、レンズ２２で補正しない場合は、例えばＲＧＢ毎に透明板を備えて補正するようにしてもよい。具体的には、可視光源を点灯し、Ｒの出力チャンネルで読み取った後にＧの出力チャンネルで読み取り、Ｇの出力チャンネルで読み取った後にＢの出力チャンネルで読み取るなどのように出力チャンネル毎に順に読み取るようにする。このときＲの出力チャンネルで読み取るときはＲ用の透明板を挿入し、同様にＧの出力チャンネルで読み取るときはＧ用、Ｂの出力チャンネルで読み取るときはＢ用の透明板を挿入してマークを読み取ることによりＲＧＢ間の読み取り対象領域の位置ズレを補正することができる。尚、反射原稿についてＲＧＢ間の位置ズレを補正する場合はマークを通孔ではなく凹みとして形成してもよいし、筐体１３の裏面や原稿台１２の裏面にマークを印刷してもよい。反射原稿についてＲＧＢ間の位置ズレを補正する場合、反射原稿用可視光源１９が第一の光源及び第二の光源の両方に相当することになる。
【００３８】
また、本実施例では読み取り開始位置を調整することで位置ズレを補正するが、読み取り対象領域を調整するのではなく、読み取ったディジタル画像から特定の領域を読み取り対象領域として切り出す際に切り出す領域を位置ズレ幅に基づいて調整することで位置ズレを補正するようにしてもよい。
また、本実施例ではフラットベッド型のイメージスキャナ１を例に説明したが、フィルムスキャナ、複写機、ファクシミリなどに本発明を適用してもよい。また、原稿台のないフィルムスキャナに適用してもよいし、透過原稿ホルダにセットせずに透過原稿を直に載置するフィルムスキャナでもよい。
【００３９】
また、本実施例では赤外光のときに透明板２３を挿入する場合を例に説明したが、可視光のときに挿入するようにしてもよい。
【図面の簡単な説明】
【００４０】
【図１】（Ａ）及び（Ｂ）は本発明の一実施例に係る画像読み取り装置の斜視図。
【図２】（Ａ）及び（Ｂ）は本発明の一実施例に係る画像読み取り装置の模式図。
【図３】本発明の一実施例に係る画像読み取り装置のブロック図。
【図４】図１（Ｂ）に示すＩＩ−ＩＩ線の断面図。
【図５】（Ａ）及び（Ｂ）は本発明の一実施例に係る光学系を拡大して示す模式図。
【図６】本発明の一実施例に係る処理の流れを示すフローチャート。
【図７】（Ａ）及び（Ｂ）は本発明の一実施例に係るマークを読み取って生成した画像を示す模式図。
【図８】本発明の一実施例に係るグラフを示す模式図。
【図９】本発明の一実施例に係る処理の流れを示すフローチャート。
【図１０】本発明の一実施例に係る読み取り対象領域の模式図。
【図１１】本発明の一実施例に係る処理の流れを示すフローチャート。
【図１２】読み取り対象領域の位置ズレを説明する模式図。
【図１３】従来の読み取り対象領域の模式図。
【符号の説明】
【００４１】
１  イメージスキャナ（画像読み取り装置）、１２  原稿台（位置決め手段）、１３  筐体（位置決め手段）、１４  通孔（マーク）、１６  リニアイメージセンサ、１７  可視光源（第一の光源）、１８  赤外光源（第二の光源）、１９  反射原稿用可視光源（第一の光源、第二の光源）、２１  ミラー、２２  レンズ、２３  透明板、２８  光学系、４０  制御部（焦点調節手段、位置ズレ補正手段）
【図１】
2005130123.tif 000003
【図２】
2005130123.tif 000004
【図３】
2005130123.tif 000005
【図４】
2005130123.tif 000006
【図５】
2005130123.tif 000007
【図６】
2005130123.tif 000008
【図７】
2005130123.tif 000009
【図８】
2005130123.tif 000010
【図９】
2005130123.tif 000011
【図１０】
2005130123.tif 000012
【図１１】
2005130123.tif 000013
【図１２】
2005130123.tif 000014
【図１３】
2005130123.tif 000015